(57)【特許請求の範囲】
【請求項１】
二重床上の仕上材上に設置され、前記仕上材に形成される線材の引き出し部分を覆うキャップであって、
前記引き出し部分の外周囲の所定部分に設置され、前記引き出し部分から引き出される線材が導入される導入開口を有する脚台部と、
前記脚台部から立ち上がって形成され、前記引き出し部分を前記仕上材との間に空間を開けて覆うと共に、前記導入開口から導入される線材が引き出される引き出し開口を有するカバー部とを備え、
前記導入開口が前記線材の太さよりも広い幅に形成されると共に、前記線材の太さよりも狭い幅の連通部を介して前記引き出し開口と連通しており、
前記脚台部及び前記カバー部の少なくとも一方には、前記連通部の幅を拡張する方向への応力に対して変形し易い応力吸収部が形成され、
前記キャップの平面視において、前記連通部が形成されている側に前記引き出し開口が偏在していることを特徴とするキャップ。
【請求項２】
前記キャップの平面視において、前記連通部が形成されている側と略反対側に前記応力吸収部が形成されていることを特徴とする請求項１に記載のキャップ。
【請求項３】
二重床上の仕上材上に設置され、前記仕上材に形成される線材の引き出し部分を覆うキャップであって、
前記引き出し部分の外周囲の所定部分に設置され、前記引き出し部分から引き出される線材が導入される導入開口を有する脚台部と、
前記脚台部から立ち上がって形成され、前記引き出し部分を前記仕上材との間に空間を開けて覆うと共に、前記導入開口から導入される線材が引き出される引き出し開口を有するカバー部とを備え、
前記導入開口が前記線材の太さよりも広い幅に形成されると共に、前記線材の太さよりも狭い幅の連通部を介して前記引き出し開口と連通しており、
前記脚台部及び前記カバー部の一方にのみ、前記連通部の幅を拡張する方向への応力に対して変形し易い応力吸収部が形成されていることを特徴とするキャップ。
【請求項４】
前記カバー部は、略ドーム形状又は略トンネル形状に形成され、
前記応力吸収部は、前記脚台部のみに形成されていることを特徴とする請求項１乃至３の何れかに記載のキャップ。
【請求項５】
前記応力吸収部は、前記脚台部又は前記カバー部の縁から切り欠くようにして形成され、根本部分が略円弧形状に形成されていることを特徴とする請求項１乃至４の何れかに記載のキャップ。
【請求項６】
前記応力吸収部が前記脚台部に形成され、
前記仕上材に着脱可能に固着するための簡易固着部材が、前記脚台部の裏面における少なくとも前記応力吸収部の周囲に設けられていることを特徴とする請求項１乃至５の何れかに記載のキャップ。
【発明の詳細な説明】
【発明の詳細な説明】
【技術分野】
【０００１】  本発明は、二重床上に敷設されたカーペット等の仕上材に形成される線材の引き出し部分を覆うキャップに関するものである。
【背景技術】
【０００２】  オフィスなどの床下側に線材を配線して床面上に線材を引き出す二重床構造では、二重床内から線材を引き出す箇所において、二重床上に敷設されたカーペット等の仕上材に、線材の引き出し部分（開口や切欠き等）が設けられる。そして、その引き出し部分には、引き出される線材が踏みつけられることを防止するため、或いは引き出し部分の美観を損なわないようにするために、キャップが設置される。【０００３】  例えば、特許文献１には、引き出し部分の周囲に設置されて線材が導入される導入開口を有する脚台部と、脚台部の内側から立ち上がって形成され、引き出し部分を覆うと共に導入開口から導入された線材が引き出される引き出し開口を有する略トンネル形状のカバー部と、脚台部の裏面に設けられる簡易固着部材とを有するキャップが開示されている。【０００４】  また、特許文献２には、引き出し部分の周囲に設置されて線材が導入される導入開口を有する脚台部と、脚台部の内側から立ち上がって形成され、引き出し部分を覆うと共に導入開口から導入された線材が引き出される引き出し開口を有する略ドーム形状のカバー部とを有するキャップにおいて、導入開口と引き出し開口とがスリット（連通部）を介して連通する構成が開示されている。
【先行技術文献】
【特許文献】
【０００５】
【特許文献１】特許第２８２０６３３号
【特許文献２】特願２０１０−９７２０２
【発明の概要】
【発明が解決しようとする課題】
【０００６】  しかしながら、特許文献１のキャップでは、設置後に歩行者に蹴飛ばされるなどして仕上材（カーペット等）から簡易固着部材（マジックテープ等）が剥がれてしまうと、キャップが外れて紛失してしまうような場合があった。【０００７】  一方で特許文献２のキャップは、線材（ケーブル）に一度装着すると、連通部の抜け止めの機能によって安定した状態に設置可能であるものの、キャップ全体の強度（剛性）が高いため、着脱の際に連通部を広げることがやや困難であった。その結果、連通部の幅を狭く設計すると太いケーブルを通すことが困難となり、逆に連通部の幅を広く設計すると細いケーブルに対して抜け止め機能が働かなくなるという問題があった。【０００８】  本発明は上記課題を解決するために提案するものであって、キャップ全体の強度を維持しつつ、且つ連通部の抜け止めの機能を損なわずに、連通部を拡張する方向への応力に対しては相対的に変形し易いキャップを提供することを目的とする。
【課題を解決するための手段】
【０００９】  本発明のキャップは、二重床上の仕上材上に設置され、前記仕上材に形成される線材の引き出し部分を覆うキャップであって、前記引き出し部分の外周囲の所定部分に設置され、前記引き出し部分から引き出される線材が導入される導入開口を有する脚台部と、前記脚台部から立ち上がって形成され、前記引き出し部分を前記仕上材との間に空間を開けて覆うと共に、前記導入開口から導入される線材が引き出される引き出し開口を有するカバー部とを備え、前記導入開口が前記線材の太さよりも広い幅に形成されると共に、前記線材の太さよりも狭い幅の連通部を介して前記引き出し開口と連通しており、前記脚台部及び前記カバー部の少なくとも一方には、前記連通部の幅を拡張する方向への応力に対して変形し易い応力吸収部が形成され、前記キャップの平面視において、前記連通部が形成されている側に前記引き出し開口が偏在していることを特徴とする。また、本発明のキャップは、二重床上の仕上材上に設置され、前記仕上材に形成される線材の引き出し部分を覆うキャップであって、前記引き出し部分の外周囲の所定部分に設置され、前記引き出し部分から引き出される線材が導入される導入開口を有する脚台部と、前記脚台部から立ち上がって形成され、前記引き出し部分を前記仕上材との間に空間を開けて覆うと共に、前記導入開口から導入される線材が引き出される引き出し開口を有するカバー部とを備え、前記導入開口が前記線材の太さよりも広い幅に形成されると共に、前記線材の太さよりも狭い幅の連通部を介して前記引き出し開口と連通しており、前記脚台部及び前記カバー部の一方にのみ、前記連通部の幅を拡張する方向への応力に対して変形し易い応力吸収部が形成されていることを特徴とする。【００１０】  この構成によれば、脚台部とカバー部とが連結して相互に補強していることによるキャップ全体の強度（剛性）向上の効果と連通部の抜け止めの効果との両方を確保しつつ、連通部の幅を拡張する方向への応力に関しては相対的に変形し易くすることができ、その分だけ作業を簡易化できると共に、キャップに無理な応力をかけて破損してしまうような危険性も極力排除することができる。【００１１】  その結果、連通部の幅を狭く設計しても太いケーブルを通すことが容易であり、細いケーブルに対しても抜け止めの機能を十分に発揮させることが可能になり、使い勝手の良いキャップを実現することができる。【００１２】  本発明のキャップは、前記応力吸収部が前記脚台部にのみ形成されていることを特徴とする。【００１３】  この構成によれば、応力吸収部がカバー部に形成されない分だけ、キャップ全体の強度を向上することができる。【００１４】  本発明のキャップは、前記応力吸収部が少なくとも前記脚台部に形成され、前記仕上材に簡易固着するための簡易固着部材が、前記脚台部の裏面における少なくとも前記応力吸収部の周囲に設けられていることを特徴とする。【００１５】  この構成によれば、キャップを線材に装着して仕上材上に設置すると応力吸収部の周囲の脚台部が仕上材に簡易固着されるため、連通部が拡張され難くなり、その分だけ線材から外れ難くなる。【００１６】  本発明のキャップは、前記連通部が形成されている部位と��反対側に前記応力吸収部が形成されていることを特徴とする。【００１７】  この構成によれば、線材引き出し部分から最も遠いところに応力吸収部を設けたので、比較的小さな応力吸収部を設けるだけでも、連通部を大きく拡張することができる。【００１８】  本発明のキャップは、記脚台部及び前記カバー部の少なくとも一方を縁から切り欠くようにして前記応力吸収部が形成されていることを特徴とする。【００１９】  この構成によれば、キャップの一部を切り欠くという簡易な構成によって、本発明のキャップを実現することができる。【００２０】  本発明のキャップは、前記切り欠かれた前記応力吸収部の根元部分が略円弧形状に形成されていることを特徴とする。【００２１】  この構成によれば、キャップを線材に対して着脱する際の変形によって根元部分に応力が集中してキャップを破損してしまう、といったような事態を回避することができる。【００２２】  本発明のキャップは、前記切り欠かれた前記応力吸収部において、根元部分の幅よりも開放端部の幅の方が広く形成されていることを特徴とする。【００２３】  この構成によれば、キャップを変形させる際に開放端部が干渉するような事態を回避することができ、その分だけキャップを変形させ易い。【００２４】  本発明のキャップは、前記脚台部及び前記カバー部の少なくとも一方に開口を穿つようにして前記応力吸収部が形成されていることを特徴とする。【００２５】  この構成によれば、キャップの縁を分断するような位置に応力吸収部が形成されないため、その分だけキャップの強度を向上できる。【００２６】  本発明のキャップは、前記応力吸収部の周縁の一部に、前記周縁の他の部分よりも応力によって変形し易い変形容易部が設けられ、前記変形容易部が、略円弧形状に形成されていることを特徴とする【００２７】  この構成によれば、キャップを線材に対して着脱する際の変形によって変形容易部に応力が集中してキャップを破損してしまう、といったような事態を回避することができる。【００２８】  本発明のキャップは、前記連通部の両側に位置する対向端部の少なくとも一方において、前記対向端部の他の部分よりも厚さを薄くした薄厚部分を形成することで前記応力吸収部が形成されていることを特徴とする。【００２９】  この構成によれば、キャップ全体を変形させなくても連通部を拡張することができるため、その分だけ作業性が向上できる。また、連通部の拡張の容易性を考慮して連通部の幅を予め狭く設定することもでき、その場合には抜け止めの効果をさらに向上できる。【００３０】  本発明のキャップは、前記対向端部に溝を形成することで前記薄厚部分が形成され、前記溝の底部分の断面が略円弧形状に形成されていることを特徴とする【００３１】  この構成によれば、対向端部に溝を穿つという簡易な構成によって、本発明のキャップを実現することができる。
【発明の効果】
【００３２】  本発明のキャップは、脚台部とカバー部とが連結して相互に補強していることによるキャップ全体の強度（剛性）向上の効果と連通部の抜け止めの効果との両方を確保しつつ、連通部の幅を拡張する方向への応力に関しては相対的に変形し易くすることができ、その分だけ線材に対する着脱時の作業を簡易化できると共に、キャップに無理な応力をかけて破損してしまうような危険性も極力排除することができる。【００３３】  また、連通部の幅を狭く設計しても太いケーブルを通すことが容易であり、細いケーブルに対しても抜け止めの機能を十分に発揮させることが可能になり、使い勝手の良いキャップを実現することができる。【００３４】  さらに、連通部の幅を容易に拡張できる構成であるため、通常状態の連通部の幅を極力狭くすることが可能となり、その結果、抜け止めの機能を向上できる。
【図面の簡単な説明】
【００３５】
【図１】（ａ）は第１実施形態のキャップの平面図、（ｂ）はその正面図、（ｃ）はその背面図、（ｄ）はその側面図、（ｅ）はその斜視図。
【図２】（ａ）は連通部拡張前の応力吸収部の模式図、（ｂ）は連通部拡張後の応力吸収部の模式図。
【図３】（ａ）は第２実施形態のキャップの平面図、（ｂ）はその正面図、（ｃ）はその背面図、（ｄ）はその側面図、（ｅ）はその斜視図。
【図４】（ａ）は第３実施形態のキャップの平面図、（ｂ）はその正面図、（ｃ）はその背面図、（ｄ）はその側面図、（ｅ）はその斜視図。
【図５】（ａ）は第４実施形態のキャップの平面図、（ｂ）はその正面図、（ｃ）はその背面図、（ｄ）はその側面図、（ｅ）はその斜視図。
【図６】（ａ）乃至（ｈ）は他の実施形態のキャップの平面図。
【発明を実施するための形態】
【００３６】  以下、本発明を具体的な実施形態に基づいて説明するが、本発明は係る実施形態に限定されるものではない。
【００３７】  〔第１実施形態のキャップ〕
本発明による第１実施形態のキャップ（線材引き出し部分から引き出される線材に装着されるキャップ）について、図１及び図２を用いて説明する。
【００３８】  第１実施形態のキャップ１は、図１（ａ）乃至（ｅ）に示すように、二重床上の仕上材であるカーペット１００に形成される線材の引き出し口１１０（線材引き出し部分）を覆うものであり、二重床下から引き出される線材であるケーブル１２０の根元部分に装着されるようにして、カーペット１００に取り付けられる。キャップ１は、例えば脚台部１２と、カバー部１４とから構成され、硬質で弾性を有する高分子樹脂等で一体的に形成されている。
【００３９】  脚台部１２は、図示例では平面視で略円形リング状に形成されており、引き出し口１１０の外周囲の所定部分に設置される。脚台部１２に囲まれた略円形状の部分は、引き出し口１１０から引き出されるケーブル１２０が導入される導入開口１３になっている。導入開口１３は、ケーブル１２０の中で最も太い部分よりも広い幅に形成され、また、複数本のケーブル１２０をまとめて導入可能な大きさとしても良い。
【００４０】  略リング状に形成された脚台部１２には、後述する引き出し開口１５の下端に隣接する部分にケーブル１２０の幅よりも幅が狭いスリット状の間隙でなる連通部１６が形成されており、導入開口１３と引き出し開口１５とがこの連通部１６を介して連通している。脚台部１２における連通部１６の両側に位置する部分である対向端部１２ａ・１２ａは、脚台部１２の内側から外側に向かって連通部１６の幅が漸次広くなるテーパー状の部分が外周から形成されている。
【００４１】  また、例えばケーブル１２０がＬＡＮケーブルのような線材（最細部分の太さ５．５ｍｍ程度）であれば、連通部１６の少なくとも一部の幅を少なくとも５．５ｍｍより狭く、好適には例えば０ｍｍ以上４ｍｍ以下の範囲で狭くするなど、少なくともケーブル１２０の中で最も細い部分の太さよりも狭くすればよい。更には、例えばケーブル１２０がＶＣＴ（ビニールキャブタイヤ）ケーブルのような線材（最細部分の太さ１１ｍｍ程度）であれば、連通部１６の少なくとも一部の幅を少なくとも１１ｍｍより狭く、好適には例えば０ｍｍ以上７ｍｍ以下の範囲で狭くするなど、少なくともケーブル１２０の中で最も細い部分の太さよりも狭くすればよい。更には、例えばケーブル１２０が電話線ケーブルのような線材（短軸の太さ２ｍｍ程度）であれば、連通部１６の少なくとも一部の幅を少なくとも２ｍｍより狭く、好適には例えば０ｍｍ以上１ｍｍ以下の範囲で狭くするなど、少なくともケーブル１２０の短軸方向の太さよりも狭くすればよい。要は、これらのケーブル１２０等の線材の種類や太さは適宜とすることが可能であり、各種各太さの線材の最も細い部分よりも幅の狭い連通部１６を形成すればよい。
【００４２】  尚、連通部１６は、ケーブル１２０の幅よりも狭い範囲で離間する構成以外に、対向端部１２ａ・１２ａ同士が当接して連通部１６の幅が常態でゼロの切れ目とする構成としてもよい。
【００４３】  かかる構成に加え図示例では、この連通部１６の幅を拡張する拡張方向への応力がキャップ１に加えられた際に、この拡張方向への応力に対して変形し易い部位（すなわち応力を吸収する部位であり、以下これを応力吸収部１８と呼ぶ）が、脚台部１２における連通部１６の略反対側の端縁（すなわちキャップ１の縁）から切り欠くようにして設けられている。
【００４４】  応力吸収部１８は、細い間隙としてのスリット状に形成され、その根元部分１８ａが平面視で略円弧形状に形成されていると共に、根元部分１８ａからキャップ１の外周に向けて連続する一対の開放端部１８ｂ・１８ｂが平面視で内から外に向けてテーパー状に広がって形成されている。
【００４５】  ここで、根元部分１８ａは、連通部１６の拡張に応じて応力吸収部１８が変形する際に一種の支点のような働きをする部分であり、応力吸収部１８の中で応力が集中し易い部分でもある。また、開放端部１８ｂ・１８ｂは、連通部１６の拡張に応じて応力吸収部１８が変形する際に大きく動く部分であり、応力吸収部１８の中で相互に干渉しやすい部分でもある。
【００４６】  脚台部１２の裏面１２ｂには図示しない円柱突起が複数設けられており、この円柱突起を貫通するようにして簡易固着部材としてのマジックテープ１７（登録商標）が取り付けられている。そして、円柱突起の先端を加熱溶融してドーム形状の係止部１２ｃを形成することにより、マジックテープ１７を脚台部１２の裏面１２ｂに強固に固定している。尚、脚台部１２の裏面１２ｂへのマジックテープ１７の取り付けは、両面テープや接着剤による貼着、リベット留め、ビス留め、ボルト留め、熱融着等の各種方法を用いること、或いはこれらを任意に複数選択して組み合わせて用いることが可能である。
【００４７】  カバー部１４は、脚台部１２の内側端から立ち上がって形成されており、図示例では脚台部１２から上方且つ内側に向かって略ドーム形状に形成され、導入開口１３及び引き出し口１１０の上方を空間を開けて覆っている。この空間は、例えば、引き出し口１１０から引き出されて導入開口１３から導入されるケーブル１２０が、その折り曲げ方向を選択可能な程度の大きさに形成されている。また、カバー部１４には、キャップ１から外部にケーブル１２０が引き出される引き出し開口１５が形成されている。尚、ケーブル１２０にキャップ１が取り付けられてカーペット１００上に設置された状態で周囲の任意の方向から見た際に、カーペット１００の引き出し口１１０にカバー部１４の一部が重なって見えるような方向が少なくとも一つでもあれば、カバー部１４によって引き出し口１１０が覆われているものとする。
【００４８】  この引き出し開口１５は、カバー部１４の頂上付近よりも僅かに下方の位置からカバー部１４の正面視の下端、即ち脚台部１２との連結部分にかけて長孔状に形成され、上述の連通部１６を介して導入開口１３と連通している。このときカバー部１４は、長孔状の引き出し開口１５の円弧形状の下側にも爪状に延設しており、連通部１６の両側の対向端部１２ａ・１２ａをそれぞれ補強していると共に、ケーブル１２０の表面を傷つけないように保護してもいる（以下、この爪状の部分を爪部１４ａと呼ぶ）。
【００４９】  引き出し開口１５は、ケーブル１２０の最も太い部分の太さよりも広い幅に形成することが好ましく、複数本のケーブル１２０を導入可能な程度に幅広としてもよい。尚、引き出し開口１５は、カバー部１４の頂上付近よりも僅かに下方の位置からカバー部１４の正面視の下端、即ち脚台部１２との連結部分にかけて設ける構成の他に、前記下端から頂点付近を越えて逆側に至る大きさに形成することも可能である。その場合には、二重床下から引き出されるケーブル１２０を余裕を持って保護しつつ、或る程度の自由度を持ってキャップ１から外部に引き出すことができる。その結果、カーペット１００上にキャップ１が一旦簡易固着すると、ケーブル１２０を多少動かした程度では、このケーブル１２０の動きがキャップ１に伝わらないため、簡易固着が容易には外れ難くなる。
【００５０】  そして、このような第１実施形態のキャップ１をケーブル１２０に装着する際、図２（ａ）及び（ｂ）に示すように、例えばキャップ１の脚台部１２を連通部１６の拡張方向Ａへ引っ張ると、応力吸収部１８の幅が狭くなるようにキャップ１全体が変形する。すなわち本来であれば、キャップ１の強度を担っている脚台部１２及びカバー部１４は、拡張方向Ａの応力に対してもその強度を発揮するため容易には変形しない構造であるにも関わらず、応力吸収部１８が形成されていることにより、この応力吸収部１８の幅を狭める拡張方向Ａの応力に関しては、脚台部１２及びカバー部１４は比較的容易に変形することとなる。これにより第１実施形態のキャップ１は、図２（ｂ）のように連結部１６が拡張した状態にすることができ、ケーブル１２０に容易に装着できる。そして、ケーブル１２０を装着した後、連通部１６の拡張方向Ａへの引っ張りを解除すると、キャップ１全体が元も状態（図２（ａ））に戻り、ケーブル１２０を抜け止めできるようになっている。
【００５１】  その一方でキャップ１は、拡張方向Ａ以外の応力に対する脚台部１２及びカバー部１４の強度はほとんど損なわれていないため、例えば人による踏圧や歩行者に蹴飛ばされるといった外部応力に対して強い強度を発揮することができる。特に、応力吸収部１８が脚台部１２にのみ形成されているため、キャップ１の強度低下を抑えることができる。
【００５２】  また、第１実施形態のキャップ１では、脚台部１２における連通部１６の略反対側（すなわちキャップ１の中で連通部１６から最も遠い位置）に応力吸収部１８が設けられているため、応力吸収部１８の変位量に対する連通部１６の変位量が最も大きくなり、小さな応力吸収部１８で連通部１６を大きく拡張することができる。
【００５３】  さらに、第１実施形態のキャップ１では、応力吸収部１８の根元部分１８ａが略円弧形状に形成されており、応力が集中するような角状の部分が存在しないため、応力吸収部１８が変形する際に応力が局所的に集中して破損してしまうような事態を回避することができる。
【００５４】  さらに、第１実施形態のキャップ１では、応力吸収部１８の一対の開放端部１８ｂ・１８ｂが外に向けてテーパー状に広がって形成されているため、拡張方向Ａの応力により応力吸収部１８が変形したときに、開放端部１８ｂ・１８ｂ同士が干渉することがなく、その分だけ連通部１６を拡張させ易い。
【００５５】  このようにして第１実施形態のキャップ１がケーブル１２０に装着されると、ケーブル１２０は、キャップ１の導入開口１３から導入されて引き出し開口１５から引き出された状態となる。このとき、キャップ１は、ケーブル１２０の太さよりも連通部１６の幅が狭く形成されているため、ケーブル１２０が一旦装着されると、連通部１６の両側の対向端部１２ａ・１２ａにケーブル１２０が係止されることになり、安定した装着状態を維持することができる。
【００５６】  また、脚台部１２の対向端部１２ａ・１２ａには、内側から外側にかけて連通部１６が広がるようなテーパーが形成されているため、キャップ１に対してケーブル１２０を装着し易くなされている。
【００５７】  そしてキャップ１は、脚台部１２が引き出し口１１０の外周囲に配置されると、裏面１２ｂのマジックテープ１７によってカーペット１００上に簡易固着される。このとき、脚台部１２の対向端部１２ａ・１２ａもマジックテープ１７によってカーペット１００上に簡易固着されるため、連通部１６の拡張方向に応力がかかっても、容易には拡張しない。その一方で、キャップ１をカーペット１００から剥がしてからであれば、連通部１６を容易に拡張することができる。即ち、装着時の安定性と着脱時の作業性とを両立できることになる。
【００５８】  同様に、脚台部１２における応力吸収部１８の両側の部分もマジックテープ１７によってカーペット１００上に簡易固着されるため、カーペット１００上に設置された状態では仮に連通部１６の拡張方向に応力がかかっても容易には応力吸収部１８は変形（吸収）せず、その結果、連通部１６が拡張することはない。その一方で、キャップ１をカーペット１００から剥がした後であれば、連通部１６を拡張する応力を応力吸収部１８で吸収できることになる。即ちこの点においても、装着時の安定性と着脱時の作業性とを両立できることになる。
【００５９】  このようにして設置された第１実施形態のキャップ１は、引き出し口１１０及びケーブル１２０の根元部分を保護する側面がある一方、引き出し口１１０及びケーブル１２０の根元部分を隠して美観を向上するような側面もあり、その少なくとも一方の効果を発揮すれば良い。
【００６０】  また、第１実施形態のキャップ１は、略ドーム形状のカバー部１４の頂上付近よりも僅かに下方の位置からカバー部１４の正面視の下端、即ち脚台部１２との連結部分にかけて長孔状に形成されているため、ケーブル１２０が引き出し開口１５の縁に引っかかった状態で歩行者に上から踏まれるような事態を極力回避することができる。
【００６１】  また、カバー部１４の引き出し開口１５を頂上付近よりも下方の位置から設ける構成により、比較的踏まれやすいカバー部１４の頂上付近を確実に保護し、ケーブル１２０が踏まれることを極力回避すると共に、ケーブル１２０が引き出し開口１５の縁で傷つく危険性も排除できる。
【００６２】  また、第１実施形態のキャップ１は、連通部１６の間隔を容易に拡張できる構成であるため、このキャップ１に力が加えられていない通常状態における、連通部１６の間隔を極力狭くすることが可能となる。
【００６３】  すなわち、仮にキャップにおいて連通部の間隔が容易には拡張できない構成である場合には、少なくともキャップを破損しない程度の変形でケーブル１２０を通すことができる程度に連通部の間隔を設定する（例えば、狭くし過ぎないように設定する）必要があるが、この第１実施形態のキャップ１では容易に連通部１６を拡張できるため、例えば通常状態における連通部１６の間隔を０ｍｍにまで狭めることも可能であり、その結果、間隔を狭くした分だけキャップ１に抜け止めの機能を向上できる。
【００６４】  換言すれば、仮に連通部１６の幅を狭く設計しても太いケーブル１２０を通すことが容易であり、その一方で、細いケーブル１２０に対しても抜け止めの機能を十分に発揮させることが可能になり、使い勝手の良いキャップを実現することができる。
【００６５】  さらには、第１実施形態のキャップ１は、略ドーム形状のカバー部１４の頂上付近までは引き出し開口１５が開口していないものの、頂上に近いところまでは開口しているため、この引き出し開口１５の略水平方向から略垂直上方向までの広い範囲でケーブル１２０を引き出すことができる。その一方で、略ドーム形状のカバー部１４の頂上付近までは引き出し開口１５が開口しておらず、キャップ１の内部を覆う構造となっているため、引き出し口１１０を外部から見え難くして美観を向上することもできる。また、引き出し口１１０から二重床の内部に塵や埃などが侵入することも防止できる。
【００６６】  〔第２実施形態のキャップ〕
次に、第２実施形態のキャップについて、図３を用いて説明する。尚、第２実施形態において、第１実施形態と同一構成の部分については同じ符号を付し、その説明を一部省略する。
【００６７】  第２実施形態のキャップ２は、図３（ａ）乃至（ｅ）に示すように、第１実施形態と同様にケーブル１２０に装着され、カーペット１００上に簡易固着されるものであり、脚台部１２とカバー部１４とから構成されている。
【００６８】  脚台部１２は、後述する連通部２６に対応する位置で切断されたような略Ｃ字形に形成され、その内側に導入開口１３が形成されている。カバー部１４には、略ドーム形状のカバー部１４の頂上付近から中程にかけて、長孔状の引き出し開口１５が形成されており、この引き出し開口１５の下端と導入開口１３とを連通する形で、連通部２６が形成されている。
【００６９】  また、脚台部１２の裏面１２ｂ側には、簡易固着部材としての多数の係合突起１２ｅが設けられている。この係合突起１２ｅは、先端が略錨形状或いは略Ｊ字形状等に形成され、これがカーペット１００の繊維に絡むことにより簡易固着を実現する。尚、この係合突起１２ｅは、脚台部１２と一体に形成されていても良いし、脚台部１２に対して植え付けられていても良く、その形状も、カーペット１００の繊維に絡むことができる形状であれば何でもよい。
【００７０】  すなわち、第２実施形態のキャップ２は、脚台部１２ではなくカバー部１４に連通部２６が設けられている点が第１実施形態のキャップ１とは異なるものの、連通部２６が導入開口１３と引き出し開口１５とを連通するように形成されている点では共通している。
【００７１】  そして、連通部２６によって狭い幅で分割されて対向しているカバー部１４の一対の対向端部１４ｂ・１４ｂには、対向端部１４ｂ・１４ｂの下方に向かって連通部２６の幅が漸次広くなるようにテーパー状部分が形成されることにより、連通部２６の内側から外側に向かって漸次幅が広くなる領域が設けられている。更に、連通部２６の両側部分に位置する一対の対向端部１４ｂ・１４ｂは、カバー部１４の他の部分に比べて厚みが薄い薄肉部分として形成されている。
【００７２】  かかる構成に加え、第２実施形態のキャップ２には、脚台部１２における連通部１６の略反対側の端縁側からカバー部１４まで切り欠くようにして応力吸収部２８が設けられている。この応力吸収部２８は、根元部分２８ａから一対の開放端部２８ｂ・２８ｂにかけて全体的に広がるように切り欠かれて形成されており、この点が第１実施形態のキャップ１における応力吸収部１８とは異なる。
【００７３】  第２実施形態のキャップ２では、応力吸収部２８がこのような構成であるため、連通部２６を拡張するための応力により応力吸収部２８が変形したときに、開放端部２８ｂ・２８ｂだけでなく、応力吸収部２８同士が干渉する危険性を極力排除することができる。
【００７４】  また、第２実施形態のキャップ２では、対向端部１４ｂ・１４ｂが他のカバー部１４よりも薄く形成されている（すなわち、薄厚部分である）ため、ケーブル１２０への装着時に、連通部２６が拡張するだけでなくこの対向端部１４ｂ・１４ｂもある程度変形する。すなわち、ケーブル１２０を通過させられるだけの間隙を連通部２６の拡張でのみ実現するのではなく、ある程度は対向端部１４ｂ・１４ｂの変形によって拡張することができるため、その分だけ連通部２６の拡張範囲（すなわち、応力吸収部２８の大きさ）を小さくすることができ、応力吸収部２８が小さくて済む分だけキャップ２の強度を向上させることが可能となる。換言すれば、第２実施形態のキャップ２における対向端部１４ｂ・１４ｂは、連通部２６を拡張する方向の応力を吸収する応力吸収部としても機能している。
【００７５】  また、第２実施形態のキャップ２は、略ドーム形状のカバー部１４の頂上付近まで引き出し開口１５が開口しているため、この引き出し開口１５から垂直上方向にケーブル１２０を引き出すことができる。
【００７６】  そして、第２実施形態のキャップ２は、引き出し開口１５がカバー部１４の頂点付近を含む領域に形成されている構成、及び、対向端部１４ｂ・１４ｂの間に連通部２６が形成されている構成に対応する効果以外、第１実施形態のキャップ１と同様の効果も奏する。
【００７７】  〔第３実施形態のキャップ〕
次に、第３実施形態のキャップについて、図４を用いて説明する。尚、第３実施形態において、第１及び第２実施形態と同一構成の部分については同じ符号を付し、その説明を一部省略する。
【００７８】  第３実施形態のキャップ３は、図４（ａ）乃至（ｅ）に示すように、第１実施形態と同様にケーブル１２０に装着され、カーペット１００上に簡易固着されるものであり、脚台部３２とカバー部３４とから構成されている。
【００７９】  カバー部３４は、平面視略正方形で略直方体状の内部空間を有する下面開放の中空箱型に形成されていると共に、その四つの側壁の下端を囲むように脚台部３２が外側に屈曲して水平に延設されている。
【００８０】  この脚台部３２によって囲まれた略正方形の開口が導入開口３３になっていると共に、脚台部３２の裏面３２ｂには、マジックテープ１７が接着剤で貼着されている。
【００８１】  カバー部３４には、導入開口３３からキャップ３内に導入されるケーブル１２０を外部に引き出すための引き出し開口３５が、カバー部３４の上面の中央付近から一方向の側壁の中ほどにかけて長孔状に形成されている。尚、ケーブル１２０の太さに対する導入開口３３及び引き出し開口３５の幅は、第１及び第２実施形態の導入開口１３及び引き出し開口１５の幅と同様に、ケーブル１２０の中で最も太い部分の太さよりも広い幅に形成されている。
【００８２】  カバー部３４における引き出し開口３５の下端から脚台部３２にかけての領域と、それに続く脚台部３２の領域には、引き出し開口３５の下端と導入開口３３とを連通するようにして連通部３６が設けられている。
【００８３】  すなわち、第３実施形態のキャップ２は、脚台部３２とカバー部３４の両方に亘って連通部３６が設けられている点が第１実施形態のキャップ１や第２実施形態のキャップ２とは異なるものの、連通部３６が導入開口３３と引き出し開口３５とを連通するように形成されている点では共通している。
【００８４】  かかる構成に加え、第３実施形態のキャップ３の脚台部３２には、連通部３６が設けられている辺の反対側の辺の両側の頂点部分それぞれに、略矩形の応力吸収部３８・３８が脚台部３２の頂点を切り欠くように設けられており、この点が第１及び第２実施形態のキャップ１及び２とは大きく異なる。
【００８５】  この第３実施形態の応力吸収部３８も、根元部分３８ａは略円弧形状になっていると共に、根元部分３８ａから一対の開放端部３８ｂ・３８ｂにかけて全体的に広がるように形成されており、第１実施形態のキャップ１における応力吸収部１８や第２実施形態のキャップ２における応力吸収部２８に関する効果と同様の効果を奏するものである。更に、応力吸収部３８が複数（この場合は二つ）設けられているため、その分だけ連通部３６を拡張させ易いという更なる利点がある。
【００８６】  また、第３実施形態のキャップ３は、脚台部３２とカバー部３４の両方に亘って連通部３６が設けられており、連通部３６が水平方向と垂直方向とに亘って立体的に形成されるため、その分だけケーブル１２０の抜け止め機能が向上するという利点もある。
【００８７】  〔第４実施形態のキャップ〕
次に、第４実施形態のキャップについて、図５を用いて説明する。尚、第４実施形態において、第１乃至第３実施形態と同一構成の部分については同じ符号を付し、その説明を一部省略する。
【００８８】  第４実施形態のキャップ４は、図５（ａ）乃至（ｅ）に示すように、第１実施形態と同様にケーブル１２０に装着され、カーペット１００上に簡易固着されるものであり、脚台部４２とカバー部４４とから構成されている。
【００８９】  脚台部４２は、片端が切断されたような略サーキット形状に形成され、その内側には引き出し口１１０から引き出されるケーブル１２０が導入される導入開口４３が形成されていると共に、脚台部４２の裏面４２ｂには、マジックテープ１７が両面テープで貼着されている。
【００９０】  カバー部４４は、脚台部４２の内側の端から立ち上がって形成されており、図示例では脚台部４２から上方且つ内側に向かって略ドーム形状に立ち上がって形成され、導入開口４３及び引き出し口１１０の上方を空間を開けて覆っている。即ち、カバー部４４は、片端が切断された略サーキット形状をドーム形状に膨らませたような略トンネル形状をしている。
【００９１】  カバー部４４における略サーキット形状が切断されたような片端（すなわち、略トンネル形状の入り口に相当する部分）は、導入開口４３と大きく連通した開口となっており、この部分も導入開口４３である。また、カバー部４４の線状の頂上部分４４ｂには、導入開口４３からキャップ４内に導入されるケーブル１２０を外部に引き出すための長孔形状の引き出し開口４５が、この頂上部分４４ｂに沿うように形成されている。尚、ケーブル１２０の太さに対する導入開口４３及び引き出し開口４５の幅は、第１乃至第３実施形態と同様に、ケーブル１２０の太さよりも広い幅に形成されている。
【００９２】  カバー部４４において、このカバー部４４が切断されている片端側には、引き出し開口４５と導入開口４３とを連通するようにして連通部４６が設けられている。この連通部４６は、第１乃至第３実施形態と同様に、ケーブル１２０の中で最も細い部分の太さよりも狭い幅に形成されている。
【００９３】  かかる構成に加え、第４実施形態のキャップ４のカバー部４４には、引き出し開口４５における連通部４６の反対側の端縁からこの連通部４６とは反対側に切り欠くようにして、スリット状の応力吸収部４８が形成されており、この点が第１乃至第２実施形態のキャップとは大きく異なる。
【００９４】  このような第４実施形態のキャップ４をケーブル１２０に装着する際、例えばキャップ４の脚台部４２を連通部４６が拡張する方向へ引っ張ると、応力吸収部４８の幅が広くなるようにキャップ４全体が変形する。これにより第４実施形態のキャップ４は、連結部４６が拡張した状態にすることができ、ケーブル１２０に容易に装着できる。すなわち、第１乃至第３実施形態の応力吸収部は、幅が狭くなるように変形することで連通部を拡張する方向の応力を吸収するようになっていたが、この第４実施形態の応力吸収部４８では、幅が広くなるように変形することで応力を吸収する。
【００９５】  従って、この応力吸収部４８は、通常状態における幅が略ゼロであっても良く、そうすることで、応力吸収部４８の幅を狭くした分だけキャップ４全体の強度を向上できると共に、キャップ４の内部を外部から見え難くすることで美観を向上できる。
【００９６】  また、第４実施形態のキャップ４では、応力吸収部４８の長さによって連通部４６の拡張のし易さを設定できる。具体的には、例えば応力吸収部４８を長く設計すると、連通部４６を容易に且つ広く拡張することができる。逆に、応力吸収部４８を狭く設計する程、連通部４６を拡張しにくく且つ拡張幅も狭くなるが、その分だけキャップ４全体の強度を向上できる。
【００９７】  また、第４実施形態のキャップ４では、応力吸収部４８の根元部分４８ａが、応力吸収部４８の幅よりも大きい直径の略円状に形成されており、応力が集中するような角状の部分が存在しないと共に、応力を分散する周長を大きく確保しているため、応力吸収部４８が変形する際に応力が局所的に集中して破損してしまうような事態を回避することができる。尚、根元部分４８ａは、第１実施形態の根元部分１８ａのように応力吸収部４８の幅と同じ程度の直径の略円弧形状であっても良いし、円弧形状とせず、矩形等の別の形状であっても構わない。
【００９８】  また、第４実施形態のキャップ４では、第１乃至第３実施形態の各キャップとは異なり、応力吸収部４８が脚台部４２には設けられていないため、脚台部４２の裏面４２ｂに設けるマジックテープ１７の面積をその分だけ増加でき、その結果、カーペット１００への簡易固着性能を向上することができる。
【００９９】  このように、第４実施形態のキャップ４は、応力吸収部４８がカバー部４４に形成されているため連通部を拡張する際の応力吸収の挙動が異なるものの、上述の第１乃至第３実施形態のキャップ１乃至３と同様に、脚台部４２がカバー部４４を補強することによるキャップ４全体の強度向上の効果と連通部４６の抜け止めの効果との両方を確保しつつ、連通部４６の幅を拡張する方向への応力に関しては相対的に変形し易くすることができ、その分だけ着脱時の作業を簡易化できると共に、キャップに無理な応力をかけて破損してしまうような危険性も極力排除することができる。
【０１００】  〔実施形態の変形例及び他の実施形態等〕
本明細書開示の発明は、各発明や各実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものをも含み、下記の変形例等も包含する。
【０１０１】  例えば、上述の第１乃至第４実施形態において、キャップを硬質で弾性を有する高分子樹脂で形成する場合について述べたが、応力吸収部を設けた場合に作業者がキャップの連通部を拡張できる程度の弾性を有するものであれば、その材質は特に限定せず、木製や金属製、カーボンファイバーやグラスファイバーを含む樹脂製（ＦＲＰ：Ｆｉｂｅｒ  Ｒｅｉｎｆｏｒｃｅｄ  Ｐｌａｓｔｉｃｓ）、硬質の紙製、廃プラスチック等のリサイクル製品製、或いはそれらの複合製品であっても構わない。
【０１０２】  また、キャップは必ずしも一体に形成する必要はなく、必要な強度を有するのであれば、別体を複合して形成しても同等の効果を得ることができるものである。具体的には、第１乃至第４実施形態においてカバー部と脚台部とを別体に形成するなどしてもよい。
【０１０３】  また、第１、第２及び第４実施形態において、応力吸収部にスリット状の間隙を適用した場合について述べたが、他の形状の間隙であっても良いし、脚台部を複数の部分に大きく分割するような構成でも良いし、応力を吸収できるのであれば間隙である必要もなく蛇腹等の連続構造体であっても良い。更に、応力吸収部は、脚台部を分断するように形成しても良いし、脚台部の途中まで切り欠くように形成しても良いし、脚台部だけでなくカバー部にまで連続的に切り欠くように形成しても良い。ここで、各種応力吸収部に関する具体例を図６（ａ）乃至（ｈ）を用いて説明する。
【０１０４】  図６（ａ）に示すキャップ２００は、脚台部１２、導入開口１３（図示せず）、カバー部１４及び引き出し開口１５が第１実施形態のキャップ１と同じ構成であるが、連通部２０１が脚台部１２とカバー部１４との両方に亘ってジグザグに形成されている点と、応力吸収部２０２が脚台部１２を大きく分割するように切り欠かれて形成されている点とが異なる。このキャップ２００は、応力吸収部２０２を大きく変形させることができるため、その分だけ連通部２０１を大きく拡張して太いケーブル１２０を通すことができる。また、連通部２０１が脚台部１２とカバー部１４との両方に亘ってジグザグに形成されているため、ケーブル１２０を係止する部分が多く、その分だけ抜け止め効果を向上できる。
【０１０５】  図６（ｂ）に示すキャップ２１０は、脚台部１２、導入開口１３（図示せず）、カバー部１４及び引き出し開口１５が第１実施形態のキャップ１と同じ構成であるが、ケーブル１２０の抜け止めのために脚台部１２の対向端部１２ａ・１２ａが連通部２１１の周囲だけ引き出し開口１５側に突出している点と、連通部２１１を拡張させ易くするために応力吸収部２１２が脚台部１２だけでなくカバー部１４の下側の一部にまで切り欠かれて（切り込まれて）形成されている点とが異なる。このキャップ２１０は、連通部２１１を拡張させ易いため、その分だけ連通部２１１を大きく拡張して太いケーブル１２０を通すことができる。また、脚台部１２の対向端部１２ａ・１２ａが連通部２１１の周囲だけ引き出し開口１５側に突出しているため、ケーブル１２０の抜け止め機能をさらに向上できる。
【０１０６】  図６（ｃ）に示すキャップ２２０は、脚台部１２、導入開口１３（図示せず）、カバー部１４、引き出し開口１５及び連通部１６が第１実施形態のキャップ１と同じ構成であるが、カバー部１４における引き出し開口１５の反対側に略菱形の開口を穿つようにして応力吸収部２２１が形成されている点が大きく異なる。このキャップ２２０をケーブル１２０に装着する際、キャップ２２０の脚台部１２を連通部１６が拡張する方向へ引っ張ると、略菱形の応力吸収部２２１の長軸の幅が狭くなるようにキャップ２２０全体が変形することで、応力を吸収することができる。
【０１０７】  このキャップ２２０では、キャップ２２０の縁を分断するような位置に応力吸収部２２２が形成されないため、その分だけキャップの強度を向上できる。また、応力吸収部２２２が脚台部１２には設けられていないため、脚台部１２の裏面１２ｂに設けるマジックテープ１７等の簡易固着部材の面積をその分だけ増加でき、その結果、カーペット１００への簡易固着性能を向上することができる。
【０１０８】  また、例えば第１実施形態のキャップ１であれば、脚台部１２をスリット状に切り欠くことで応力吸収部１８が形成されているため、連通部１６を拡張する際、単に拡張しても、又はキャップ１全体を捻るようにして拡張しても、その応力を応力吸収部１８で吸収することができた。一方で、キャップ２２０の応力吸収部２２２は、捻るような応力を吸収し難い構造であるため、連通部２２１を拡張できる方向はある程度限定されるものの、捻りに対する強度が高いという利点がある。
【０１０９】  さらには、このキャップ２２０において、略菱形の応力吸収部２２１の頂点部分における変形容易部２２１ａのそれぞれは、応力吸収の際に支点のような働きをする部分、すなわち応力が集中する部分である。この変形容易部２２１ａを、上述の各実施形態のキャップにおける根元部分と同様に略円弧形状に形成すると、応力が集中するような角状の部分が存在しなくなるため、応力吸収部２２１が変形する際に応力が局所的に集中して破損してしまうような事態を回避することができ、強度を向上させることができる。
【０１１０】  図６（ｄ）に示すキャップ２３０は、脚台部１２、導入開口１３（図示せず）、カバー部１４、引き出し開口１５及び連通部１６が第１実施形態のキャップ１と同じ構成であるが、カバー部１４に爪部１４ａが無い点と、キャップ２２０の平面視（連通部１６を下に配置した際の平面視）で略４時方向と略８時方向のカバー部１４の中ほどから脚台部１２の中ほどにかけて、スリット状の開口としての応力吸収部２３１・２３１が切り欠くように設けられている点が大きく異なる。このようなキャップ２３０をケーブル１２０に装着する際、キャップ２３０の脚台部１２を連通部１６が拡張する方向へ引っ張ると、応力吸収部２３１を支点として対向端部１２ａ・１２ａが上方に折れ曲がるようにキャップ２３０全体が変形することで、応力を吸収することができる。
【０１１１】  尚、このキャップ２３０において、スリット状の応力吸収部２３１の両端の変形容易部２３１ａを、上述の他の実施形態の根元部分と同様に略円弧形状に形成すると、応力が集中するような角状の部分が存在しなくなるため、応力吸収部２３１が変形する際に応力が局所的に集中して破損してしまうような事態を回避することができ、強度を向上させることができる。
【０１１２】  図６（ｅ）に示すキャップ２４０は、脚台部３２、導入開口３３（図示せず）、及びカバー部３４が第３実施形態のキャップ３と同じ構成であるが、平面視で略正方形であるカバー部３４の頂点部分に引き出し開口３５が設けられると共にこの引き出し開口３５と導入開口３３（図示せず）とを連通するように脚台部３２の頂点部分に連通部２４１が設けられている点と、脚台部３２における連通部２４１の反対側の頂点部分にスリット状の応力吸収部２４２が設けられている点とが異なる。この応力吸収部２４２は、脚台部３２の外周から中ほどまで切り込んだスリット状であり、カバー部３４まで切り込まれていないため、その分だけキャップ２４０の強度を高くすることができる。そして上述の各実施形態と同様に、このキャップ２４０も連通部２４１を拡張すると、その際の応力を応力吸収部２４２で吸収することができる。
【０１１３】  尚、上述の第４実施形態で述べたように、このキャップ２４０においても、応力吸収部２４２の長さによって連通部２４１の拡張のし易さを設定できる。具体的には、例えば応力吸収部２４２を長く設計すると、連通部２４１を容易に拡張し易くすることができる。逆に、応力吸収部２４２を狭く設計する程、連通部２４１を拡張しにくくなるが、その分だけキャップ２４０全体の強度を向上できる。
【０１１４】  図６（ｆ）に示すキャップ２５０は、脚台部３２、導入開口３３（図示せず）、及びカバー部３４が第３実施形態のキャップ３と同じ構成であるが、平面視で略止方形であるカバー部３４の頂点部分に引き出し開口３５が設けられると共にこの引き出し開口３５と導入開口３３（図示せず）とを連通するように脚台部３２の頂点部分に略円弧形状に湾曲したスリット状の連通部２５１が設けられている点と、キャップ２５０の平面視（連通部２５１を下に配置した際の平面視）で略４時方向と略８時方向の脚台部３２にスリット状応力吸収部２５２・２５２が設けられている点が大きく異なる。そして上述の各実施形態と同様に、このキャップ２５０も連通部２５１を拡張すると、その際の応力を応力吸収部２５２で吸収することができる。尚、この応力吸収部２５２は片方だけでもよいし、片側に複数設けられていてもよい。
【０１１５】  図６（ｇ）に示すキャップ２６０は、脚台部３２、導入開口３３（図示せず）、及びカバー部３４が第３実施形態のキャップ３と同じ構成であるが、平面視で略正方形であるカバー部３４の頂点部分に引き出し開口３５が設けられると共にこの引き出し開口３５と導入開口３３（図示せず）とを連通するように脚台部３２の頂点部分にスリット状の連通部２６１が斜めに設けられている点と、カバー部３４における連通部２６１の反対側、且つ引き出し開口３５に連通するようにして、略Ｙ字状のスリットでなる応力吸収部２６２が形成されている点とが大きく異なる。このキャップ２６０では、第４実施形態のキャップ４の応力吸収部４８と同様に、応力吸収部２６２がカバー部３４に設けられているため、連通部２６１を拡張すると、その際の応力を応力吸収部２６２が広がる方向に変形することで吸収することができ、その結果、上記第４実施形態と同様の効果が得られる。また、このキャップ２６０では、応力吸収部２６２が略Ｙ字形状に形成されているため、連通部２６１を拡張する際の応力を分散して吸収することができるという利点がある。
【０１１６】  図６（ｈ）に示すキャップ２７０は、脚台部３２、導入開口３３（図示せず）、及びカバー部３４が第３実施形態のキャップ３と同じ構成であるが、平面視で略正方形であるカバー部３４の頂点部分に引き出し開口３５が設けられると共にこの引き出し開口３５と導入開口３３（図示せず）とを連通するように脚台部３２の頂点部分にスリット状の連通部２７１が設けられている点と、連通部２７１の両側の対向端部３２ａ・３２ａそれぞれの上面に、他の部分よりも厚みが薄い薄厚部分としての溝状の応力吸収部２７２が形成されている点とが大きく異なる。
【０１１７】  このキャップ２７０では、連通部２７１の両側の対向端部３２ａ・３２ａを図６（ｈ）の手前側に引っ張ると、応力吸収部２７２を支点として対向端部３２ａ・３２ａが図６（ｈ）の手前側に折れ曲がるように変形することで、応力を吸収することができるようになされている。また、この応力吸収部２７２は、対向端部３２ａ・３２ａの片側だけに設けられていても良いし、片側に複数設けられていても良い。さらに、溝状の応力吸収部２７２の底部分の断面を略円弧形状に形成すれば、応力が集中するような角状の部分が存在しなくなるため、応力吸収部２７２が変形する際に応力が局所的に集中して破損してしまうような事態を回避することができ、強度を向上させることができる。
【０１１８】  尚、このキャップ２７０では、溝状の薄厚部分でなる応力吸収部２７２について述べたが、この薄厚部分は、テーパー状の傾斜によって形成したり、ある程度の幅を有する段部として形成したり、対向端部３２ａの大部分や全体を薄く形成してもよく、特に、対向端部３２ａの引き出し開口３５側からキャップ２７０の外側へと横断（図６（ｈ）では縦に横断）するように設けられていると、連通部２７１を拡張し易くなり好適である。また、溝状の薄厚部分でなる応力吸収部２７２は、対向端部３２ａの表面側に設けられていてもよいし、裏面側に設けられていてもよいし、両側に設けられていても良いし、一対の対向端部３２ａ・３２ａの一方には表面側に設け他方には裏面側に設けるようにしてもよい。
【０１１９】  また、第１、第２及び第４実施形態において、脚台部における連通部の反対側に応力吸収部を一つ設けるようにした場合について述べたが、応力吸収部を設ける位置やその数は適宜である。
【０１２０】  また、上述の第１乃至第４実施形態、及び他の実施形態において、応力吸収部の根元部分や変形容易部、薄厚部分を略円弧形状にした場合について述べたが、円弧の半径は適宜であり、また、必ずしも円弧形状である必要もなく、楕円形上や、角状の部分を持たない他の曲線形状であってもよい。また、強度をあまり気にしない、あるいはキャップの素材自体が強靭で応力に対する強度を確保できているのであれば、応力吸収部の根元部分や変形容易部は、鋭角或いは鈍角の頂点を有する形状であっても良い。
【０１２１】  また、上述の第４実施形態において、応力吸収部４８の根元部分４８ａを、応力吸収部４８の幅よりも大きい直径の略円状に形成した場合について述べたが、この根元部分４８ａをケーブル１２０の太さよりも大きく形成し、第二の引き出し開口として兼用するようにしても良い。すなわちその場合、応力吸収部４８は第二の引き出し開口に対する連通部としても機能することになる。そして、この第二の引き出し開口に対して別途応力吸収部を設けることも適宜である。
【０１２２】  また、上述の第１乃至第４実施形態において、連通部にスリット状の間隙を適用した場合について述べたが、他の形状の間隙であっても適宜であり、要は、ケーブルの中で最も細い部分の太さよりも狭い幅の間隙を有する構造であれば適宜である。
【０１２３】  また、上述の第１乃至第４実施形態において、連通部の両側の対向端部にテーパーが形成されている場合について述べたが、段状の構造であってもよいし、必ずしもテーパーの様な構造を形成しなくてもよい。
【０１２４】  また、上述の第１乃至第４実施形態において、仕上材としてカーペットを適用するようにした場合について述べたが、フローリング床や床シート材等であっても良く、その場合には、キャップを仕上材に簡易固着する簡易固着部材として吸盤や両面テープ、粘着質の防振ゲル材等を適用すると好適である。
【０１２５】  また、上述の第１及び第２実施形態において脚台部１２を平面視で略リング形状に形成するようにした場合について述べたが、この形状は楕円や矩形、三角形、五角形、六角形、八角形等の多角形若しくは、略星型など適宜である。
【０１２６】  また、脚台部に対して取り付けられる簡易固着部材としてのマジックテープ１７や係合突起１２ｅを脚台部の裏面全体に亘って設けても良いし一部分だけに設けることも可能であり、また、複数種の簡易固着部材を併用したり、複数の固定手段で簡易固着材を脚台部の裏面に取り付けることも可能であり、キャップを仕上材に簡易固着する強度を確保できる範囲で適宜選択することが可能である。例えば、マジックテープ１７は、脚台部１２の対向端部１２ａ・１２ａには必ずしも設けられてなくても良いし、対向端部１２ａ以外の脚台部１２では係止部１２ｄによってマジックテープ１７を固定し分割端部１２ａでは接着剤や両面テープで固定するようにしても良い。
【０１２７】  特に、簡易固着部材を脚台部の一部分に設ける場合には、脚台部のうち少なくとも連通部の両側の対向端部等の周囲部分に簡易固着部材を設けておけば、この簡易固着部材による簡易固着が解除されない限りは線材からキャップが外れないため、安定した装着状態の維持という観点で有利である。同様に、脚台部のうち少なくとも応力吸収部の両側の部分に簡易固着部材を設けておけば、この簡易固着部材による簡易固着が解除されない限りは線材からキャップが外れ難くなるため、安定した装着状態の維持という観点で有利である。
【０１２８】  また、上述の第１乃至第４実施形態において、キャップの脚台部の内側端からカバー部が立ち上がって形成するようにした場合、すなわち、キャップのカバー部の下端から水平方向の外側に向けて脚台部を形成するようにした場合について述べたが、脚台部はカバー部の下端から水平方向の内側に向けて形成する構成や、内側と外側の両方に向けて形成する構成とすることも可能である。尚、第１乃至第３実施形態において、カバー部の下端から水平方向の内側に向けて脚台部を形成した場合、その脚台部に形成される応力吸収部は、連通部を拡張する方向の応力を受けると、応力吸収部の幅が広くなる方に変形することで応力を吸収することになるが、得られる効果としては同様である。
【０１２９】  また、上述の第１乃至第４実施形態において、引き出し口１１０やケーブル１２０の根元部分を保護するカバー部をドーム形状、略箱形状、略トンネル形状にした場合について述べたが、カバー部の形状は適宜とすることができる。
【０１３０】  また、上述の第１乃至第４実施形態において、各引き出し開口を略長孔形状とした場合について述べたが、略円形状、略楕円形状、三角形状、四角形状、五角形状、六角形状、各種多角形状、星形状等、引き出し開口の形状は適宜とすることができる。同様に、各導入開口の形状も適宜である。
【０１３１】  また、上述の第１乃至第４実施形態において、線材引き出し開口をカバー部の一方の下端からカバー部の頂上付近より僅かに下の位置まで長孔形状に形成するようにしたり、カバー部の中ほどから頂上付近まで長孔形状に形成するようにした場合などについて述べたが、カバー部の一方の下端から頂上付近を介して他方の下端まで連通するように形成しても良く、要は上述の第１乃至第４実施形態の効果を得られるのであれば、その形状や大きさは適宜である。
【０１３２】  また、上述の第１乃至第４実施形態において、キャップに対して一つの引き出し開口を設けるようにした場合について述べたが、引き出し開口を設ける数は限定しない。従って複数の引き出し開口を設ける場合には、それぞれの引き出し開口に連通部とこの連通部を拡張する際の応力を吸収する応力吸収部とを形成してもよいし、複数の引き出し開口に対してそれよりも数が少ない１以上の連通部や応力吸収部を兼用で設けたりしてもよい。
【０１３３】  尚、線材に対する各種キャップの装着のし易さ、一旦装着した後のケーブルの外れ難さ、ケーブルの取り回しの容易さ、キャップの強度の最適化、等を考慮し、第１乃至第４実施形態のキャップや、他の実施形態の各キャップの各構成の一部や全部を任意に組み合わせる構成とすることが可能である。
【産業上の利用可能性】
【０１３４】  本発明のキャップは、二重床の上面に敷設される仕上材の線材引き出し部分から引き出される線材の根元を覆う際に利用することができる。
【符号の説明】
【０１３５】１、２、３、４、２００、２１０、２２０、２３０、２４０、２５０、２６０、２７０…キャップ    １２、２２、３２、４２…脚台部    １３、３３…導入開口    １４、３４、４４…カバー部    １５…引き出し開口    １６、２６、３６、４６、２０１、２１１、２４１、２５１、２６１、２７１…連通部    １８、２８、３８、４８、２０２、２１２、２２１、２３１、２４２、２５２、２６２、２７２…応力吸収部    １８ａ、２８ａ、３８ａ，４８ａ…根元部分    １８ｂ、２８ｂ、３８ｂ…開放端部
【図１】
0005858323.tif 000002
【図２】
0005858323.tif 000003
【図３】
0005858323.tif 000004
【図４】
0005858323.tif 000005
【図５】
0005858323.tif 000006
【図６】
0005858323.tif 000007